【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
複数の発光素子と、
前記複数の発光素子を実装する帯状の発光素子基板と、
前記発光素子基板と前記発光素子の駆動を制御する制御基板との電気的接続を中継する帯状の中継基板と、
前記発光素子基板と前記中継基板とを電気的に接続するコネクタと、を備え、
前記発光素子基板は、前記中継基板に対して、前記発光素子基板の長手方向を前記中継基板の長手方向と交差させて配置され、
前記コネクタは、前記発光素子基板及び前記中継基板を配置する配置面内における前記中継基板と前記発光素子基板との間の位置ずれを許容する位置ずれ許容手段を備えることを特徴とする照明装置。
【請求項２】
前記配置面は、前記発光素子基板と前記制御基板との間に位置し、
前記コネクタの本体の少なくとも一部は、前記配置面よりも前記制御基板側に配置されることを特徴とする請求項１記載の照明装置。
【請求項３】
前記コネクタは、第１コンタクトを有する第１コネクタ及び第２コンタクトを有する第２コネクタを備え、
前記第１コンタクトの接点部と接触する前記第２コンタクトの接触面は、前記配置面と平行、且つ前記配置面と平行な面内において前記接点部の移動を許容する領域を有しており、
前記位置ずれ許容手段は、前記領域内において前記接点部を移動させることにより前記位置ずれを許容することを特徴とする請求項１または請求項２記載の照明装置。
【請求項４】
前記領域は、前記第１コネクタと前記第２コネクタとが嵌合する嵌合方向と交差する方向において前記接点部の移動を許容することを特徴とする請求項３記載の照明装置。
【請求項５】
前記コネクタは、第１コンタクトを有する第１コネクタ及び第２コンタクトを有する第２コネクタを備え、
前記第１コンタクト及び前記第２コンタクトの少なくとも一方は、前記配置面と平行な面内における前記中継基板及び前記発光素子基板の少なくとも一方の移動に追従するフレキシブル部と、前記中継基板または前記発光素子基板に固定され前記フレキシブル部の一方を保持する第１保持部と、前記フレキシブル部の他方を保持する第２保持部と、を有し、
前記位置ずれ許容手段は、前記フレキシブル部を用いて前記位置ずれを許容することを特徴とする請求項１〜請求項４の何れか一項に記載の照明装置。
【請求項６】
前記第２コネクタは、前記配置面と平行する方向または前記配置面に対して所定角度傾斜させた方向から前記第１コネクタに挿入されることを特徴とする請求項３または請求項４記載の照明装置。
【請求項７】
前記第１コンタクトは、前記第２コネクタの第２嵌合部と嵌合する第１嵌合部の第１面に配置される複数の第３コンタクト及び前記第１面に対向または背向する前記第１嵌合部の第２面に配置される複数の第４コンタクトを備え、
前記第２コンタクトは、前記複数の第３コンタクトと電気的に接続する複数の第５コンタクト及び前記複数の第４コンタクトと電気的に接続する複数の第６コンタクトを備え、
前記第３コンタクトの一端部には、前記第５コンタクトと接触する第１接点部が設けられ、
前記第４コンタクトの一端部には、前記第６コンタクトと接触する第２接点部が設けられ、
前記第３コンタクトの他端部及び前記第４コンタクトの他端部は、前記発光素子基板または前記中継基板の片面に実装されることを特徴とする請求項３〜請求項６の何れか一項に記載の照明装置。
【請求項８】
前記複数の第３コンタクトの一端部の配列ピッチ及び前記複数の第４コンタクトの一端部の配列ピッチは、前記複数の第３コンタクトの他端部と前記複数の第４コンタクトの他端部との配列ピッチの２倍であることを特徴とする請求項７記載の照明装置。
【請求項９】
前記コネクタは、カードエッジコネクタであることを特徴とする請求項３〜請求項８の何れか一項に記載の照明装置。
【請求項１０】
前記第２コネクタは、前記中継基板と一体に形成されていることを特徴とする請求項９記載の照明装置。
【請求項１１】
前記発光素子基板は、片面基板であることを特徴とする請求項１〜請求項１０の何れか一項に記載の照明装置。
【請求項１２】
前記配置面に配置される平板を備え、
前記平板は、前記発光素子基板を固定する第１固定部と、前記中継基板を固定する第２固定部とを備えることを特徴とする請求項１〜請求項１１の何れか一項に記載の照明装置。
【請求項１３】
前記平板には、前記コネクタの本体の少なくとも一部を収容する窪みが設けられていることを特徴とする請求項１２記載の照明装置。
【請求項１４】
前記第１固定部は、前記発光素子基板の前記コネクタ側を前記平板に固定し、
前記第２固定部は、前記中継基板の中央部を前記平板に固定することを特徴とする請求項１２または請求項１３記載の照明装置。
【請求項１５】
前記中継基板には、前記制御基板と電気的に接続するための基板対基板コネクタが実装されており、
前記基板対基板コネクタは、フローティングコネクタであり、
前記平板には、前記フローティングコネクタを配置する開口部が設けられていることを特徴とする請求項１２〜請求項１４の何れか一項に記載の照明装置。
【請求項１６】
前記中継基板には、前記制御基板と電気的に接続するための基板対基板コネクタが実装されており、
前記基板対基板コネクタは、前記中継基板が前記第２固定部により前記平板に固定される位置の近傍に実装されており、
前記平板には、前記基板対基板コネクタを配置する開口部が設けられていることを特徴とする請求項１２〜請求項１４の何れか一項に記載の照明装置。
【請求項１７】
複数の発光素子と、
前記発光素子からの信号回路が形成されている回路基板と、
前記回路基板と前記発光素子の駆動を制御する制御基板とを電気的に接続し、前記回路基板に実装されるコネクタと、
前記回路基板と前記制御基板との間に位置し、前記回路基板を固定する平板と、
を備え、
前記平板には、前記コネクタを配置する開口部が設けられていることを特徴とする照明装置。
【請求項１８】
前記コネクタは、前記制御基板に実装される基板対基板コネクタ、電線を介して前記制御基板と電気的に接続する基板対電線コネクタ、及びフレキシブルフラットケーブル（ＦＦＣ）を介して前記制御基板と電気的に接続するＦＦＣ用コネクタのいずれか１つと電気的に接続することを特徴とする請求項１７記載の照明装置。
【請求項１９】
前記コネクタは、前記基板対基板コネクタ、前記基板対電線コネクタ及び前記ＦＦＣ用コネクタの少なくとも２つと電気的に接続可能であることを特徴とする請求項１８記載の照明装置。
【請求項２０】
前記基板対基板コネクタは、フローティングコネクタであることを特徴とする請求項１８または請求項１９記載の照明装置。
【請求項２１】
前記回路基板は、前記複数の発光素子を実装する発光素子基板または前記発光素子基板と前記制御基板との電気的接続を中継する中継基板であることを特徴とする請求項１７〜請求項２０の何れか一項に記載の照明装置。
【請求項２２】
照明装置を製造するための照明装置の製造方法であって、
複数の発光素子の信号回路が形成されている回路基板に実装されるコネクタを、前記回路基板と前記発光素子の駆動を制御する制御基板との間に位置し前記回路基板を固定する平板に設けられている開口部に配置する配置工程と、
前記配置工程において前記開口部に配置された前記コネクタを介して、前記回路基板と前記制御基板とを電気的に接続する接続工程と、
を含むことを特徴とする照明装置の製造方法。
【請求項２３】
照明装置を製造するための照明装置の製造方法であって、
複数の発光素子を実装する発光素子基板を平板に配置し、固定する第１固定工程と、
前記発光素子基板と前記発光素子の駆動を制御する制御基板との電気的接続を中継する中継基板を前記平板に配置し、固定する第２固定工程と、
前記中継基板に実装されている第２コネクタを前記発光素子基板に実装されている第１コネクタに、前記第１コネクタが実装される前記発光素子基板の実装面に対して上方から挿入し、嵌合させる嵌合工程と、
を含むことを特徴とする照明装置の製造方法。
【請求項２４】
照明装置を製造するための照明装置の製造方法であって、
複数の発光素子を実装する発光素子基板と前記発光素子の駆動を制御する制御基板との電気的接続を中継する中継基板を平板に配置し、固定する第１固定工程と、
前記発光素子基板を前記平板に配置し、固定する第２固定工程と、
前記発光素子基板に実装されている第１コネクタを前記中継基板に実装されている第２コネクタに、前記第２コネクタが実装される前記中継基板の実装面に対して上方から挿入し、嵌合させる嵌合工程と、
を含むことを特徴とする照明装置の製造方法。
【請求項２５】
液晶パネルと、
前記液晶パネルの背面側に配置される請求項１〜請求項２１の何れか一項に記載の照明装置と、
を備えることを特徴とする表示装置。